(57)【要約】【課題】人体の臓器内に施術されたステントの制御または再施術の必要性のために除去するとき、除去装置を用いて引っ張ると、長手方向に伸びるだけでなく直径を縮小することにより、臓器内壁に沈着した部分が易しく分離して除去が容易になるようにするステント除去用引出ワイヤを提供する。【解決手段】前記円筒状胴体の折曲端にジグザグに円形帯状に編んで形成される末端ワイヤの両端を結んでかけ部を形成し、前記円筒状胴体の長手方向に位置する空間部を通過して円筒状胴体の内部を経って外部に露出するように他の空間部を通過する縦方向ワイヤの一端を前記末端ワイヤに一体的に連結するかあるいは結んで連結し、前記円筒状胴体の円周方向に位置する空間部を通じてジグザグに編まれる円形帯状の円周方向ワイヤを一つ以上形成し、縦方向ワイヤの他端に一体的に連結するかあるいは結んで連結される引出ワイヤで構成される。【選択図】  図１
2010259784.tif 000002
【特許請求の範囲】
【請求項１】
一本またはそれ以上の形状記憶合金ワイヤ１１を互いに編むかジグザグに交差させて空間部１２を形成し、両端には多数の折曲端１３が円周に沿って形成された円筒状胴体１４でなるステント１０を除去するための引出ワイヤにおいて、
前記円筒状胴体１４の空間部１２を通じてジグザグに円形帯状に編んで形成される末端ワイヤ２０の両端を結んでかけ部２１を形成し、
前記円筒状胴体１４の長手方向に位置する空間部１２を通過して円筒状胴体１４の内部を経って外部に露出するように隣接空間部１２を通過する縦方向ワイヤ３０の一端を前記末端ワイヤ２０に一体的に連結するかあるいは結んで連結し、
前記円筒状胴体１４の円周方向に位置する空間部１２を通じてジグザグに編まれる半円形帯または円形帯状の円周方向ワイヤ４０を形成し、縦方向ワイヤ３０の他端に一体的に連結するかあるいは結んで連結される引出ワイヤ５０を形成することでなり、
前記かけ部２１を引っ張る場合、末端ワイヤ２０と縦方向ワイヤ３０と円周方向ワイヤ４０が順次引かれ、前記末端ワイヤ２０は円筒状胴体１４の直径方向と長手方向に引かれ、前記縦方向ワイヤ３０は円筒状胴体１４の長手方向に引かれ、前記円周方向ワイヤ４０は円筒状胴体１４の直径方向に引かれることにより、臓器内壁から容易に分離されて除去できるように構成されることを特徴とする、ステント除去用引出ワイヤ。
【請求項２】
前記引出ワイヤ５０は、
一端をステント１０の円筒状胴体１４の空間部１２を通じてジグザグに編んで半円形帯状の第１末端ワイヤ２０ａを形成し、
前記第１末端ワイヤ２０ａの一端が円筒状胴体１４の長手方向に位置する空間部１２を通過して円筒状胴体１４の内部を経って外部に露出するように隣接空間部１２を通過する第１縦方向ワイヤ３０ａを形成し、
前記第１縦方向ワイヤ３０ａの一端が円筒状胴体１４の円周方向に位置する空間部１２を通じて編まれてなる円形帯状の円周方向ワイヤ４０を一つ以上形成し、
前記円周方向ワイヤ４０の一端が第１縦方向ワイヤ３０ａと第１末端ワイヤ２０ａから離隔して見合う形態の第２縦方向ワイヤ３０ｂと第２末端ワイヤ２０ｂを順次形成した後、両端を結んでかけ部２０ｃを形成することで構成されることを特徴とする、請求項１に記載のステント除去用引出ワイヤ。
【請求項３】
前記引出ワイヤ５０は、
一端をステント１０の円筒状胴体１４の空間部１２を通じてジグザグに編んで半円形帯状の第１末端ワイヤ２０ａを形成し、
前記第１末端ワイヤ２０ａの一端が円筒状胴体１４の長手方向に位置する空間部１２を通過して円筒状胴体１４の内部を経って外部に露出するように隣接空間部１２を通過する第１縦方向ワイヤ３０ａを形成し、
前記第１縦方向ワイヤ３０ａの一端が円筒状胴体１４の円周方向に位置する空間部１２を通じて編まれてなる円形帯状の円周方向ワイヤ４０を一つ以上形成し、
前記円周方向ワイヤ４０の一端が第１縦方向ワイヤ３０ａと交差するように第２縦方向ワイヤ３０ｂを形成し、第１末端ワイヤ２０ａから離隔して見合う形態の第２末端ワイヤ２０ｂを順次形成した後、両端を結んでかけ部２０ｃを形成することで構成されることを特徴とする、請求項１に記載のステント除去用引出ワイヤ。
【請求項４】
前記引出ワイヤ５０は、
一端をステント１０の円筒状胴体１４の空間部１２を通じてジグザグに編んで半円形帯状の第１末端ワイヤ２０ａを形成し、
前記第１末端ワイヤ２０ａの一端が円筒状胴体１４の対角線長手方向に位置する空間部１２を通過して円筒状胴体１４の内部を経って外部に露出するように隣接空間部１２を通過する第１縦方向ワイヤ３０ａを形成し、
前記第１縦方向ワイヤ３０ａの一端が円筒状胴体１４の円周方向に位置する多数の空間部１２を通じて編まれてなる円形帯状の円周方向ワイヤ４０を一つ以上形成し、
前記円周方向ワイヤ４０の一端が第１縦方向ワイヤ３０ａと平行に空間部１２を通じてジグザグに編まれて第２縦方向ワイヤ３０ｂを形成し、前記第１末端ワイヤ２０ａから離隔して見合う第２末端ワイヤ２０ｂを形成した後、両端を結んでかけ部２０ｃを形成することで構成されることを特徴とする、請求項１に記載のステント除去用引出ワイヤ。
【請求項５】
前記引出ワイヤ５０は、
ステント１０の円筒状胴体１４の空間部１２を通じてジグザグに編まれて形成される円形帯状の末端ワイヤ２０の両端を結んでかけ部２１を形成し、
前記円筒状胴体１４の長手方向に位置する空間部１２を通過して円筒状胴体１４の内部を経って外部に露出するように隣接空間部１２を通過する一つ以上の縦方向ワイヤ３０を形成した後、一端を前記末端ワイヤ２０のかけ部２１に結んで連結し、
前記円筒状胴体１４の円周方向に位置する空間部１２を通じて編まれて形成される円形帯状の円周方向ワイヤ４０を一つ以上形成してそれぞれ縦方向ワイヤ３０の他端で結んで連結することで構成されることを特徴とする、請求項１に記載のステント除去用引出ワイヤ。
【請求項６】
前記引出ワイヤ５０は、
ステント１０の円筒状胴体１４の空間部１２を通じてジグザグに編まれて形成される円形帯状の末端ワイヤ２０の両端を結んでかけ部２１を形成し、
前記円筒状胴体１４の円周方向に位置する空間部１２を通じて編まれて形成される円形帯状の円周方向ワイヤ４０を一つ以上形成した後、両端を結んで形成される円周方向ワイヤかけ部４１を末端ワイヤ２０のかけ部２１に結んで連結することで構成されることを特徴とする、請求項１に記載のステント除去用引出ワイヤ。
【請求項７】
前記引出ワイヤ５０は、
一端をステント１０の円筒状胴体１４の空間部１２を通じてジグザグに編んで半円形帯状の第１末端ワイヤ２０ａを形成し、
前記第１末端ワイヤ２０ａの一端が円筒状胴体１４の長手方向に位置する空間部１２を通過して円筒状胴体１４の内部を経って外部に露出するように隣接空間部１２を通過する第１縦方向ワイヤ３０ａを形成し、
前記第１縦方向ワイヤ３０ａの一端が円筒状胴体１４の円周方向に位置する多数の空間部１２を通じて編まれてなる円形帯状の円周方向ワイヤ４０を一つ以上形成し、
前記円周方向ワイヤ４０の一端が第１縦方向ワイヤ３０ａと円周上で交差するように空間部１２を通じてジグザグに編まれて第２縦方向ワイヤ３０ｂを形成し、前記第１末端ワイヤ２０ａから離隔して見合う第２末端ワイヤ２０ｂを形成した後、両端を結んでかけ部２０ｃを形成することで構成されることを特徴とする、請求項１に記載のステント除去用引出ワイヤ。
【請求項８】
一つ以上の円周方向ワイヤ４０及び前記円周方向ワイヤ４０を互いに連結する縦方向ワイヤをさらに含み、前記円周方向ワイヤ４０の相互間隔は病変部位の面積またはステント１４の全長によって違うように形成されることを特徴とする、請求項１〜４及び請求項７のいずれか１項に記載のステント除去用引出ワイヤ。
【請求項９】
一つ以上の円周方向ワイヤ４０及び前記円周方向ワイヤ４０と前記末端ワイヤを互いに連結する縦方向ワイヤをさらに含み、前記円周方向ワイヤ４０の相互間隔は病変部位の面積またはステント１４の全長によって違うように形成されることを特徴とする、請求項１、５及び６のいずれか１項に記載のステント除去用引出ワイヤ。
【請求項１０】
前記縦方向ワイヤ３０の長さは病変部位の面積またはステント１０の全長によって違うように形成されることを特徴とする、請求項１または５に記載のステント除去用引出ワイヤ。
【請求項１１】
前記第１及び第２縦方向ワイヤ３０ａ、３０ｂの長さは病変部位の面積またはステント１０の全長によって違うように形成されることを特徴とする、請求項２〜４及び請求項７のいずれか１項に記載のステント除去用引出ワイヤ。
【請求項１２】
前記縦方向ワイヤ３０は、ステント１０の円筒状胴体１４の長手方向に位置する空間部１２を通じてジグザグに編まれて構成されることを特徴とする、請求項１または５に記載のステント除去用引出ワイヤ。
【請求項１３】
前記第１及び第２縦方向ワイヤ３０ａ、３０ｂは、ステント１０の円筒状胴体１４の長手方向に位置する空間部１２を通じてジグザグに編まれて構成されることを特徴とする、請求項２〜４及び請求項７のいずれか１項に記載のステント除去用引出ワイヤ。
【請求項１４】
前記引出ワイヤ５０は、医療用繊維材、合成樹脂材、非鉄金属材、金属材ワイヤの中でいずれか１種で構成されることを特徴とする、請求項１〜７のいずれか１項に記載のステント除去用引出ワイヤ。
【請求項１５】
一本またはそれ以上の形状記憶合金ワイヤ１１を互いに編むかジグザグに交差させて空間部１２を形成し、両端には多数の折曲端１３が円周に沿って形成された円筒状胴体１４の内部に医療用被膜１５が接着されてなるステント１０を除去するための引出ワイヤにおいて、
前記円筒状胴体１４の空間部１２と被膜１５を通じてジグザグに円形帯状に編んで形成される末端ワイヤ２０の両端を結んでかけ部２１を形成し、
前記円筒状胴体１４の長手方向空間部１２と被膜１５を貫通して円筒状胴体１４の内部を経って外部に露出するように隣接空間部１２及び被膜１５を通過する縦方向ワイヤ３０の一端が末端ワイヤ２０に一体的に連結するかあるいは結んで連結し、
前記円筒状胴体１４の円周方向空間部１２と被膜１５を貫通してジグザグに編まれる円形帯状の円周方向ワイヤ４０を形成し、縦方向ワイヤ３０の他端に一体的に連結するかあるいは結んで連結される引出ワイヤ５０を形成することでなり、
前記かけ部２１を引っ張る場合、末端ワイヤ２０と縦方向ワイヤ３０と円周方向ワイヤ４０が順次引かれ、前記末端ワイヤ２０は円筒状胴体１４の直径方向と長手方向に引かれ、前記縦方向ワイヤ３０は円筒状胴体１４の長手方向に引かれ、前記円周方向ワイヤ４０は円筒状胴体１４の直径方向に縮小するように引かれて臓器内壁から容易に分離されて除去できるように構成されることを特徴とする、ステント除去用引出ワイヤ。
【請求項１６】
前記引出ワイヤ５０は、
一端をステント１０の円筒状胴体１４の空間部１２と被膜１５を通じてジグザグに編んで半円形帯状の第１末端ワイヤ２０ａを形成し、
前記第１末端ワイヤ２０ａの一端が円筒状胴体１４の長手方向に位置する空間部１２及び被膜１５を通過して円筒状胴体１４の内部を経って外部に露出するように隣接空間部１２及び被膜１５を通過する第１縦方向ワイヤ３０ａを形成し、
前記第１縦方向ワイヤ３０ａの一端が円筒状胴体１４の円周方向に位置する空間部１２と被膜１５を通じて編まれてなる円形帯状の円周方向ワイヤ４０を一つ以上形成し、
前記円周方向ワイヤ４０の一端が第１縦方向ワイヤ３０ａと第１末端ワイヤ２０ａから離隔して見合う形態の第２縦方向ワイヤ３０ｂと第２末端ワイヤ２０ｂを順次形成した後、両端を結んでかけ部２０ｃを形成することで構成されることを特徴とする、請求項１５に記載のステント除去用引出ワイヤ。
【請求項１７】
前記引出ワイヤ５０は、
一端をステント１０の円筒状胴体１４の空間部１２と被膜１５を通じてジグザグに編んで半円形帯状の第１末端ワイヤ２０ａを形成し、
前記第１末端ワイヤ２０ａの一端が円筒状胴体１４の長手方向に位置する空間部１２及び被膜１５を通過して円筒状胴体１４の内部を経って外部に露出するように隣接空間部１２及び被膜１５を通過する第１縦方向ワイヤ３０ａを形成し、
前記第１縦方向ワイヤ３０ａの一端が円筒状胴体１４の円周方向に位置する空間部１２と被膜１５を通じて編まれてなる円形帯状の円周方向ワイヤ４０を一つ以上形成し、
前記円周方向ワイヤ４０の一端が第１縦方向ワイヤ３０ａと交差するように第２縦方向ワイヤ３０ｂを形成し、第１末端ワイヤ２０ａから離隔して見合う形態の第２末端ワイヤ２０ｂを順次形成した後、両端を結んでかけ部２０ｃを形成することで構成されることを特徴とする、請求項１５に記載のステント除去用引出ワイヤ。
【請求項１８】
前記引出ワイヤ５０は、
一端をステント１０の円筒状胴体１４の空間部１２と被膜１５を通じてジグザグに編んで半円形帯状の第１末端ワイヤ２０ａを形成し、
前記第１末端ワイヤ２０ａの一端が円筒状胴体１４の対角線長手方向に位置する空間部１２及び被膜１５を通過して円筒状胴体１４の内部を経って外部に露出するように隣接空間部１２及び被膜１５を通過する第１縦方向ワイヤ３０ａを形成し、
前記第１縦方向ワイヤ３０ａの一端が円筒状胴体１４の円周方向に位置する多数の空間部１２を通じて編まれてなる円形帯状の円周方向ワイヤ４０を一つ以上形成し、
前記円周方向ワイヤ４０の一端が第１縦方向ワイヤ３０ａと平行に空間部１２と被膜１５を通じてジグザグに編まれて第２縦方向ワイヤ３０ｂを形成し、前記第１末端ワイヤ２０ａから離隔して見合う第２末端ワイヤ２０ｂを形成した後、両端を結んでかけ部２０ｃを形成することで構成されることを特徴とする、請求項１５に記載のステント除去用引出ワイヤ。
【請求項１９】
前記引出ワイヤ５０は、
ステント１０の円筒状胴体１４の空間部１２と被膜１５を通じてジグザグに編まれて形成される円形帯状の末端ワイヤ２０の両端を結んでかけ部２１を形成し、
前記円筒状胴体１４の長手方向に位置する空間部１２を通過して円筒状胴体１４の内部を経って外部に露出するように隣接空間部１２と被膜１５を通過する一つ以上の縦方向ワイヤ３０を形成した後、一端を前記末端ワイヤ２０のかけ部２１に結んで連結し、
前記円筒状胴体１４の円周方向に位置する空間部１２と被膜１５を通じて編まれて形成される円形帯状の円周方向ワイヤ４０を一つ以上形成してそれぞれ縦方向ワイヤ３０の他端で結んで連結することで構成されることを特徴とする、請求項１５に記載のステント除去用引出ワイヤ。
【請求項２０】
前記引出ワイヤ５０は、
ステント１０の円筒状胴体１４の空間部１２と被膜１５を通じてジグザグに編まれて形成される円形帯状の末端ワイヤ２０の両端を結んでかけ部２１を形成し、
前記円筒状胴体１４の円周方向に位置する空間部１２と被膜１５を通じて編まれて形成される円形帯状の円周方向ワイヤ４０を一つ以上形成した後、両端を結んで形成される円周方向ワイヤかけ部４１を末端ワイヤ２０のかけ部２１を結んで連結することで構成されることを特徴とする、請求項１５に記載のステント除去用引出ワイヤ。
【請求項２１】
前記引出ワイヤ５０は、
一端をステント１０の円筒状胴体１４の空間部１２と被膜１５を通じてジグザグに編んで半円形帯状の第１末端ワイヤ２０ａを形成し、
前記第１末端ワイヤ２０ａの一端が円筒状胴体１４の長手方向に位置する空間部１２と被膜１５を通過して円筒状胴体１４の内部を経って外部に露出するように隣接空間部１２を通過する第１縦方向ワイヤ３０ａを形成し、
前記第１縦方向ワイヤ３０ａの一端が円筒状胴体１４の円周方向に位置する多数の空間部１２と被膜１５を通じて編まれてなる円形帯状の円周方向ワイヤ４０を一つ以上形成し、
前記円周方向ワイヤ４０の一端が第１縦方向ワイヤ３０ａと円周上で交差するように空間部１２と被膜１５を通じてジグザグに編まれて第２縦方向ワイヤ３０ｂを形成し、前記第１末端ワイヤ２０ａから離隔して見合う第２末端ワイヤ２０ｂを形成した後、両端を結んでかけ部２０ｃを形成することで構成されることを特徴とする、請求項１５に記載のステント除去用引出ワイヤ。
【請求項２２】
一つ以上の円周方向ワイヤ４０及び前記円周方向ワイヤ４０を互いに連結する縦方向ワイヤをさらに含み、前記円周方向ワイヤ４０の相互間隔は病変部位の面積またはステント１４の全長によって違うように形成されることを特徴とする、請求項１５〜１８及び請求項２１のいずれか１項に記載のステント除去用引出ワイヤ。
【請求項２３】
一つ以上の円周方向ワイヤ４０及び前記円周方向ワイヤ４０と前記末端ワイヤを互いに連結する縦方向ワイヤをさらに含み、前記円周方向ワイヤ４０の相互間隔は病変部位の面積またはステント１４の全長によって違うように形成されることを特徴とする、請求項１５、１９及び２０のいずれか１項に記載のステント除去用引出ワイヤ。
【請求項２４】
前記縦方向ワイヤ３０の長さは病変部位の面積またはステント１０の全長によって違うように形成されることを特徴とする、請求項１５または１９に記載のステント除去用引出ワイヤ。
【請求項２５】
前記第１及び第２縦方向ワイヤ３０ａ、３０ｂの長さは病変部位の面積またはステント１０の全長によって違うように形成されることを特徴とする、請求項１６〜１８及び請求項２１のいずれか１項に記載のステント除去用引出ワイヤ。
【請求項２６】
前記縦方向ワイヤ３０は、ステント１０の円筒状胴体１４の長手方向に位置する空間部１２を通じてジグザグに編まれて構成されることを特徴とする、請求項１５または１９に記載のステント除去用引出ワイヤ。
【請求項２７】
前記第１及び第２縦方向ワイヤ３０ａ、３０ｂは、ステント１０の円筒状胴体１４の長手方向に位置する空間部１２を通じてジグザグに編まれて構成されることを特徴とする、請求項１６〜１８及び請求項２１のいずれか１項に記載のステント除去用引出ワイヤ。
【請求項２８】
前記引出ワイヤ５０は、医療用繊維材、合成樹脂材、非鉄金属材、金属材ワイヤの中でいずれか１種で構成されることを特徴とする、請求項１５〜２１のいずれか１項に記載のステント除去用引出ワイヤ。
【発明の詳細な説明】
【技術分野】
【０００１】
本発明はステント除去用引出ワイヤに係り、特に人体の臓器内に施術されたステントの制御または再施術の必要性のために除去するとき、除去装置を用いて引っ張ると、長手方向に伸びるだけでなく直径を縮小することにより、臓器内壁に沈着した部分が易しく分離して除去が容易になるようにするステント除去用引出ワイヤに関する。
【背景技術】
【０００２】
一般に、医療用ステントである内腔拡開用ステントは主に狭くなった内腔を拡開させるかあるいは拡開した内臓が再び狭くならないようにするために使っている。
【０００３】
かかる医療用ステントは、主に癌のような腫瘍の発生によって狭窄した内腔を広げるか狭窄の進行を防止するために使っている。
【０００４】
そして、医療用ステントは、急性膵臓炎による膵管の狭窄、慢性胆管炎による狭窄、手術後に発生する一時的な内腔の狭窄、胆道の狭窄などに適用するためのもので、特に一時的に内腔に発生する狭窄症状を防止するか、これを広げた後その内腔が元の状態に復帰した後には直ちに除去するか、ステントが所望の位置に正確に移植されなくて正常に作用しないか不要になった場合には、内腔に挿入されたステントを除去することで再施術が可能になるので除去することができる。
【０００５】
かかる除去可能なステントは、挿入の際には一般的に知られたカテーテルによって内腔に挿入して狭窄症状を防止するかあるいは内腔を広げた後、これを内腔から除去しなければならないので、抜け出るステントが内側に窄むことにより、容易に内腔から抜け出ることができる。
【０００６】
この際、除去用ステントはステント除去装置用フックを使って除去することができる構造になっている。このような除去用ステントの構造を調べると、主にステント本体の内外側面で包まれたカバー部材、及びステント本体に一体的に連結された多数のかけ具を含んでなり、前述したそれぞれのかけ具に少なくとも一つのワイヤの両端が連結されている。
【０００７】
したがって、ステントを内腔から除去するためには、フックをステント本体の内側に押し入れるとか抜き出すとかして、かけ具に連結されたワイヤにかかるようにした後、このフックを引っ張るとステントが内側中心方向に窄められることになるものである。
【０００８】
この際、前述したフックをさらに引っ張ると、ステントの本体が導管に挿入され、この状態で導管とフックを同時に内腔から除去することでステントを内腔から除去することになる。
【０００９】
図１及び図２に示すように、前記のような除去用ステントは、フックを用いて多数のかけ具の中で一つのかけ具にかけて引き出すことになる。この際、引出力がステントの円周上の一側に集中してステントが伸びるが、直径の縮小率が少なくて引き出しが容易でない問題点があった。
【００１０】
また、長時間にわたってステントが施術された状態を維持すれば、ステントに病変部位または人体組職が詰まるかまたは沈着するため、引出方向への引出力によって易しく離脱せずに一緒に引かれて病変の再発危険性あるいは患者の苦痛が増幅する問題点があった。
【００１１】
さらに、病変部位の面積にかかわらず、かけ具が末端に形成されるため、かけ具を引っ張るとき、引出力が末端部にだけ集中するので、病変部位とステントが沈着した部分には引出力が伝達できなくて分離が難しい問題点があった。
【００１２】
これにより、かけ具を引っ張ったとき、引出力がステントの全体に伝達されると同時にステントの直径が中心に縮小するので、沈着した状態でも易しく分離可能な改善されたステント除去用引出ワイヤが切実に要求される。
【発明の概要】
【発明が解決しようとする課題】
【００１３】
したがって、本発明は前記のような従来技術の問題点に鑑みてなされたもので、臓器の内壁面が空間部に浸透して沈着しても患者に苦痛を与えないように直径を収縮させて簡単に分離することができるステント除去用引出ワイヤを提供することにその目的がある。
【００１４】
そして、本発明の他の目的は、全体的に縦方向ワイヤと円周方向ワイヤを形成し、除去施術の際、除去装置を用いて末端ワイヤを引っ張ると長手方向に伸びるとともに引き出されながら直径を縮小し、臓器の内壁面から易しく離脱されるようにすることにある。
【００１５】
また、本発明のさらに他の目的は、引出ワイヤを多様な形態に製作してステントの形状または特性によって適用される汎用性が増大するようにすることにある。
【００１６】
さらに、本発明のさらに他の目的は、縦方向ワイヤの長さまたは円周方向ワイヤが位置する間隔を臓器内の病変部位の面積またはステントの全長によって調節して設置することにより、除去のために引っ張ったとき、収縮率が均等に作用するようにすることにある。
【課題を解決するための手段】
【００１７】
前述した目的を達成するために、本発明は、一本またはそれ以上の形状記憶合金ワイヤを互いに編むかジグザグに交差させて空間部を形成し、両端には多数の折曲端が円周に沿って形成された円筒状胴体でなるステントを除去するための引出ワイヤであって、前記円筒状胴体の折曲端にジグザグに円形帯状に編んで形成される末端ワイヤの両端を結んでかけ部を形成し、前記円筒状胴体の長手方向に位置する空間部を通過して円筒状胴体の内部を経って外部に露出するように他の空間部を通過する縦方向ワイヤの一端を前記末端ワイヤに一体的に連結するかあるいは結んで連結し、前記円筒状胴体の円周方向に位置する空間部を通じてジグザグに編まれる円形帯状の円周方向ワイヤを一つ以上形成し、縦方向ワイヤの他端に一体的に連結するかあるいは結んで連結される引出ワイヤで構成されるステント除去用引出ワイヤを提供する。
【発明の効果】
【００１８】
以上のように、本発明は臓器の内壁面が空間部に浸透して沈着しても患者に苦痛を与えないように直径を収縮させて簡単に分離することができる効果がある。
【００１９】
そして、ステントに全体的に縦方向ワイヤと円周方向ワイヤを形成し、除去施術の際、除去装置を用いて末端ワイヤを引っ張ると長手方向に伸びるとともに引き出されながら直径を縮小して臓器の内壁面から易しく離脱されるようにすることにより、沈着した部位の２次傷の誘発を防止するとともに苦痛を減らすことができる効果がある。
【００２０】
さらに、引出ワイヤを多様な形態に製作し、ステントの形状や特性によって適用される汎用性が増大するようにして製造が容易な効果がある。
【００２１】
さらに、縦方向ワイヤの長さまたは円周方向ワイヤが位置する間隔を臓器内の病変部位の面積またはステントの全長によって調節して設置することにより、除去のために引っ張ったとき、収縮率が均等に作用するようにして沈着程度によって効率よく引出力が作用する効果がある。
【図面の簡単な説明】
【００２２】
【図１】従来のステントが病変部位に施術された状態の施術図及び空間部に人体組職が沈着した状態を示す拡大断面図である。
【図２】従来のステントを除去する施術の際、空間部に沈着した人体組職がかかる状態を示す施術図及び拡大断面図である。
【図３】本発明の第１実施例による引出ワイヤが適用されるステントの斜視図及び適用された状態の斜視図である。
【図４】図３の第１実施例による引出ワイヤの形態を示す斜視図及び作動状態図である。
【図５】第２実施例による引出ワイヤの形態を示す斜視図及び作動状態図である。
【図６】第３実施例による引出ワイヤの形態を示す斜視図及び作動状態図である。
【図７】第４実施例による引出ワイヤの形態を示す斜視図及び作動状態図である。
【図８】第５実施例による引出ワイヤの形態を示す斜視図及び作動状態図である。
【図９】第６実施例による引出ワイヤの形態を示す斜視図及び作動状態図である。
【図１０】図４の引出ワイヤが円筒状ステントに適用された状態を示す斜視図である。
【図１１】図５の引出ワイヤが円筒状ステントに適用された状態を示す斜視図である。
【図１２】図６の引出ワイヤが円筒状ステントに適用された状態を示す斜視図である。
【図１３】図７の引出ワイヤが円筒状ステントに適用された状態を示す斜視図である。
【図１４】図８の引出ワイヤが円筒状ステントに適用された状態を示す斜視図である。
【図１５】図９の引出ワイヤが円筒状ステントに適用された状態を示す斜視図である。
【図１６】図４の引出ワイヤが両端拡開型ステントに適用された状態を示す斜視図である。
【図１７】図５の引出ワイヤが両端拡開型ステントに適用された状態を示す斜視図である。
【図１８】図６の引出ワイヤが両端拡開型ステントに適用された状態を示す斜視図である。
【図１９】図７の引出ワイヤが両端拡開型ステントに適用された状態を示す斜視図である。
【図２０】図８の引出ワイヤが両端拡開型ステントに適用された状態を示す斜視図である。
【図２１】図９の引出ワイヤが両端拡開型ステントに適用された状態を示す斜視図である。
【図２２】図４の引出ワイヤが内側に被膜が付着された円筒状ステントに適用された状態を示す斜視図である。
【図２３】図４の引出ワイヤが適用された円筒状ステントが病変部位に施術された状態を示す施術図及び空間部に人体組職が沈着した状態を示す拡大断面図である。
【図２４】ステントを除去する施術のために引出ワイヤを引っ張るとき、空間部に沈着した人体組職が離脱される状態を示す施術図及び拡大断面図である。
【発明を実施するための形態】
【００２３】
以下、前述したような本発明の好適な実施例を添付図面に基づいて詳細に説明する。
【００２４】
図３及び図４に示すように、本発明のステント除去用引出ワイヤは、一本またはそれ以上の形状記憶合金ワイヤ１１を互いに編むかジグザグに交差させることで空間部１２を形成し、両端には多数の折曲端１３が円周に沿って形成された円筒状胴体１４でなるステント１０の除去のための引出ワイヤに関するもので、前記円筒状胴体１４の空間部１２を通じてジグザグに円形帯状に編んでなる末端ワイヤ２０の両端を結んでかけ部２１を形成する。
【００２５】
そして、前記円筒状胴体１４の長手方向に位置する空間部１２を通過して円筒状胴体１４の内部を経って外部に露出するように隣接空間部１２を通過する縦方向ワイヤ３０の一端を前記末端ワイヤ２０に一体的に形成するかあるいは結んで連結する。
【００２６】
その後、前記円筒状胴体１４の円周方向に位置する空間部１２を通じてジグザグに編まれる円形帯状の円周方向ワイヤ４０を一つ以上形成して縦方向ワイヤ３０の他端に一体的に連結するかあるいは結んで連結した引出ワイヤ５０を備えたステント１０である。
【００２７】
すなわち、前記ステント１０は、前記かけ部２１を引っ張る場合、末端ワイヤ２０と縦方向ワイヤ３０と円周方向ワイヤ４０が順次引かれる。この際、前記末端ワイヤ２０は円筒状胴体１４の直径方向と長手方向に引かれ、前記縦方向ワイヤ３０は円筒状胴体１４の長手方向に引かれ、前記円周方向ワイヤ４０は円筒状胴体１４の直径方向に引かれることで、臓器内壁から易しく分離されて除去されるように形成されるものである。
【００２８】
図４に示すように、第１実施例において、引出ワイヤ５０は、第１末端ワイヤ２０ａと、第１縦方向ワイヤ３０ａと、円周方向ワイヤ４０と、第２縦方向ワイヤ３０ｂと、第２末端ワイヤ２０ｂは一体的に構成される。
【００２９】
前記第１末端ワイヤ２０ａは、一端をステント１０の円筒状胴体１４の空間部１２を通じてジグザグに編んで半円形帯状に形成される。
【００３０】
前記第１縦方向ワイヤ３０ａは、第１末端ワイヤ２０ａの一端が円筒状胴体１４の長手方向に位置する空間部１２を通過して円筒状胴体１４の内部を経って外部に露出するように隣接空間部１２を通過することで形成される。
【００３１】
前記円周方向ワイヤ４０は、第１縦方向ワイヤ３０ａの一端が円筒状胴体１４の円周方向に位置する空間部１２を通じて編まれて半円形帯または円形帯状になるように一つ以上形成される。
【００３２】
そして、前記円周方向ワイヤ４０の一端が第１縦方向ワイヤ３０ａと第１末端ワイヤ２０ａから離隔して見合う形態の第２縦方向ワイヤ３０ｂと第２末端ワイヤ２０ｂを順次形成した後、両端を結んでかけ部２０ｃを形成する。
【００３３】
すなわち、前記引出ワイヤ５０は、第１末端ワイヤ２０ａと、第１縦方向ワイヤ３０ａと、円周方向ワイヤ４０と、第２縦方向ワイヤ３０ｂと、第２末端ワイヤ２０ｂとが一本のワイヤを伸びることで構成されたものである。
【００３４】
つぎに、図５に示すように、第２実施例において、引出ワイヤ５０は、第１末端ワイヤ２０ａと、第１縦方向ワイヤ３０ａと、円周方向ワイヤ４０と、第２縦方向ワイヤ３０ｂと、第２末端ワイヤ２０ｂとが一体的に構成される。
【００３５】
前記第１末端ワイヤ２０ａは、引出ワイヤ５０の一端をステント１０の円筒状胴体１４の空間部１２を通じてジグザグに編んで半円形帯状に形成する。
【００３６】
前記第１縦方向ワイヤ３０ａは、第１末端ワイヤ２０ａの一端が円筒状胴体１４の長手方向に位置する空間部１２を通過して円筒状胴体１４の内部を経って外部に露出するように隣接空間部１２を通過するように形成する。
【００３７】
前記円周方向ワイヤ４０は、第１縦方向ワイヤ３０ａの一端が円筒状胴体１４の円周方向に位置する空間部１２を通じて編まれて円形帯状になるように一つ以上形成する。
【００３８】
そして、前記円周方向ワイヤ４０の一端が第１縦方向ワイヤ３０ａと交差するように第２縦方向ワイヤ３０ｂを形成し、第１末端ワイヤ２０ａから離隔して見合う形態の第２末端ワイヤ２０ｂを順次形成した後、両端を結んでかけ部２０ｃを形成するように構成する。
【００３９】
図６に示すように、第３実施例において、前記引出ワイヤ５０は、第１末端ワイヤ２０ａと、第１縦方向ワイヤ３０ａと、円周方向ワイヤ４０と、第２縦方向ワイヤ３０ｂと、第２末端ワイヤ２０ｂとから構成される。
【００４０】
前記第１末端ワイヤ２０ａは、一端をステント１０の円筒状胴体１４の空間部１２を通じてジグザグに編んで半円形帯状に形成する。
【００４１】
前記第１縦方向ワイヤ３０ａは、第１末端ワイヤ２０ａの一端が円筒状胴体１４の対角線長手方向に位置する空間部１２を通過して円筒状胴体１４の内部を経って外部に露出するように隣接空間部１２を通過して形成される。
【００４２】
前記円周方向ワイヤ４０は、第１縦方向ワイヤ３０ａの一端が円筒状胴体１４の円周方向に位置する多数の空間部１２を通じて編まれて円形帯状に一つ以上形成される。
【００４３】
前記第２縦方向ワイヤ３０ｂは円周方向ワイヤ４０の一端が第１縦方向ワイヤ３０ａと平行に空間部１２を通じてジグザグに編まれて形成される。
【００４４】
前記第２末端ワイヤ２０ｂは第１末端ワイヤ２０ａから離隔して見合うように形成した後、両端を結んでかけ部２０ｃを形成してなる。
【００４５】
すなわち、第１末端ワイヤ２０ａと、第１縦方向ワイヤ３０ａと、円周方向ワイヤ４０と、第２縦方向ワイヤ３０ｂと、第２末端ワイヤ２０ｂとは一本のワイヤで一体的に構成されるものである。
【００４６】
図７に示すように、第４実施例において、前記引出ワイヤ５０は、ステント１０の円筒状胴体１４の空間部１２を通じてジグザグに編まれて形成される円形帯状の末端ワイヤ２０の両端を結んでかけ部２１を形成する。
【００４７】
そして、前記円筒状胴体１４の長手方向に位置する空間部１２を通過して円筒状胴体１４の内部を経って外部に露出するように隣接空間部１２を通過する一本以上の縦方向ワイヤ３０を形成した後、一端を前記末端ワイヤ２０のかけ部２１に結んで連結する。
【００４８】
さらに、前記円筒状胴体１４の円周方向に位置する空間部１２を通じて編まれて形成される円形帯状の円周方向ワイヤ４０を一つ以上形成し、それぞれ縦方向ワイヤ３０の他端で結んで連結する。
【００４９】
図８に示すように、第５実施例において、前記引出ワイヤ５０は、ステント１０の円筒状胴体１４の空間部１２を通じてジグザグに編まれて形成される円形帯状の末端ワイヤ２０の両端を結んでかけ部２１を形成する。
【００５０】
そして、前記円筒状胴体１４の円周方向に位置する空間部１２を通じて編まれて形成される円形帯状の円周方向ワイヤ４０を一つ以上形成した後、両端を結んで形成される円周方向ワイヤかけ部４１を末端ワイヤ２０のかけ部２１を結んで連結構成する。
【００５１】
図９に示すように、第６実施例において、前記引出ワイヤ５０は、一端をステント１０の円筒状胴体１４の空間部１２を通じてジグザグに編んで半円形帯状の第１末端ワイヤ２０ａを形成する。
【００５２】
そして、前記第１末端ワイヤ２０ａの一端が円筒状胴体１４の長手方向に位置する空間部１２を通過して円筒状胴体１４の内部を経って外部に露出するように隣接空間部１２を通過する第１縦方向ワイヤ３０ａを形成する。
【００５３】
さらに、前記第１縦方向ワイヤ３０ａの一端が円筒状胴体１４の円周方向に位置する多数の空間部１２を通じて編まれてなる円形帯状の円周方向ワイヤ４０を一つ以上形成する。
【００５４】
さらに、前記円周方向ワイヤ４０の一端が第１縦方向ワイヤ３０ａと円周上で交差するように空間部１２を通じてジグザグに編まれて第２縦方向ワイヤ３０ｂを形成し、前記第１末端ワイヤ２０ａから離隔して見合う第２末端ワイヤ２０ｂを形成した後、両端を結んでかけ部２０ｃを形成してなる。
【００５５】
つぎに、本発明の変形実施例を説明する。
【００５６】
図２２に示すように、本発明の変形実施例は、一本またはそれ以上の形状記憶合金ワイヤ１１を互いに編むかジグザグに交差させて空間部１２を形成し、両端には多数の折曲端１３が円周に沿って形成された円筒状胴体１４の内部に医療用被膜１５が接着されてなるステントである。
【００５７】
前記円筒状胴体１４の空間部１２と被膜１５を通じてジグザグに円形帯状に編んで形成される末端ワイヤ２０の両端を結んでかけ部２１を形成する。
【００５８】
そして、前記円筒状胴体１４の長手方向空間部１２と被膜１５を貫通して円筒状胴体１４の内部を経って外部に露出するように隣接空間部１２を通過する縦方向ワイヤ３０の一端を前記末端ワイヤ２０に一体的に連結するかあるいは結んで連結する。
【００５９】
その後、前記円筒状胴体１４の円周方向空間部１２と被膜１５を貫通してジグザグに編まれる円形帯状の円周方向ワイヤ４０を一つ以上形成し、縦方向ワイヤ３０の他端に一体的に連結するかあるいは結んで連結される引出ワイヤ５０を含んでステント１０が構成される。
【００６０】
すなわち、前記ステント１０は、かけ部２１を引っ張る場合、末端ワイヤ２０と縦方向ワイヤ３０と円周方向ワイヤ４０とが順次引かれ、前記末端ワイヤ２０は円筒状胴体１４の直径方向と長手方向に引かれ、前記縦方向ワイヤ３０は円筒状胴体１４の長手方向に引かれ、前記円周方向ワイヤ４０は円筒状胴体１４の直径方向に縮小するように引かれることにより、臓器内壁から易しく分離除去されるように構成されるものである。
【００６１】
図４に示すように、第１変形実施例において、前記引出ワイヤ５０は、第１末端ワイヤ２０ａと、第１縦方向ワイヤ３０ａと、円周方向ワイヤ４０と、第２縦方向ワイヤ３０ｂと、第２末端ワイヤ２０ｂとは一体的に構成される。
【００６２】
前記第１末端ワイヤ２０ａは、一端がステント１０の円筒状胴体１４の空間部１２と被膜１５を通じてジグザグに編まれて半円形帯状に形成される。
【００６３】
前記第１縦方向ワイヤ３０ａは、第１末端ワイヤ２０ａの一端が円筒状胴体１４の長手方向に位置する空間部１２と被膜１５を通過して円筒状胴体１４の内部を経って外部に露出するように隣接空間部１２と被膜１５を通過して形成される。
【００６４】
前記円周方向ワイヤ４０は、第１縦方向ワイヤ３０ａの一端が円筒状胴体１４の円周方向に位置する空間部１２と被膜１５を通じて編まれて半円形帯または円形帯状になるように一つ以上形成される。
【００６５】
そして、前記円周方向ワイヤ４０の一端が第１縦方向ワイヤ３０ａと第１末端ワイヤ２０ａから離隔して見合う形態の第２縦方向ワイヤ３０ｂと第２末端ワイヤ２０ｂを順次形成した後、両端を結んでかけ部２０ｃを形成する。
【００６６】
すなわち、前記引出ワイヤ５０は、第１末端ワイヤ２０ａと、第１縦方向ワイヤ３０ａと、円周方向ワイヤ４０と、第２縦方向ワイヤ３０ｂと、第２末端ワイヤ２０ｂとが一本のワイヤで構成されるものである。
【００６７】
図５に示すように、第２変形実施例において、前記引出ワイヤ５０は、第１末端ワイヤ２０ａと、第１縦方向ワイヤ３０ａと、円周方向ワイヤ４０と、第２縦方向ワイヤ３０ｂと、第２末端ワイヤ２０ｂとが一体的に構成される。
【００６８】
前記第１末端ワイヤ２０ａは、引出ワイヤ５０の一端をステント１０の円筒状胴体１４の空間部１２と被膜１５を通じてジグザグに編むことで半円形帯状に形成する。
【００６９】
前記第１縦方向ワイヤ３０ａは、第１末端ワイヤ２０ａの一端が円筒状胴体１４の長手方向に位置する空間部１２と被膜１５を通過して円筒状胴体１４の内部を経って外部に露出するように隣接空間部１２と被膜１５を通過するように形成される。
【００７０】
前記円周方向ワイヤ４０は、第１縦方向ワイヤ３０ａの一端が円筒状胴体１４の円周方向に位置する空間部１２と被膜１５を通じて編まれて円形帯状になるように一つ以上形成される。
【００７１】
そして、前記円周方向ワイヤ４０の一端が第１縦方向ワイヤ３０ａと交差するように第２縦方向ワイヤ３０ｂを形成し、第１末端ワイヤ２０ａから離隔して見合う形態の第２末端ワイヤ２０ｂを順次形成した後、両端を結んでかけ部２０ｃを形成するように構成される。
【００７２】
図６に示すように、第３変形実施例において、前記引出ワイヤ５０は、第１末端ワイヤ２０ａと、第１縦方向ワイヤ３０ａと、円周方向ワイヤ４０と、第２縦方向ワイヤ３０ｂと、第２末端ワイヤ２０ｂとから構成される。
【００７３】
前記第１末端ワイヤ２０ａは、一端をステント１０の円筒状胴体１４の空間部１２と被膜１５を通じてジグザグに編んで半円形帯状に形成する。
【００７４】
前記第１縦方向ワイヤ３０ａは、第１末端ワイヤ２０ａの一端が円筒状胴体１４の対角線長手方向に位置する空間部１２と被膜１５を通過して円筒状胴体１４の内部を経って外部に露出するように隣接空間部１２と被膜１５を通過して形成される。
【００７５】
前記円周方向ワイヤ４０は、第１縦方向ワイヤ３０ａの一端が円筒状胴体１４の円周方向に位置する多数の空間部１２と被膜１５を通じて編まれて円形帯状に一つ以上形成される。
【００７６】
前記第２縦方向ワイヤ３０ｂは、円周方向ワイヤ４０の一端が第１縦方向ワイヤ３０ａと平行に空間部１２と被膜１５を通じてジグザグに編まれて形成される。
【００７７】
前記第２末端ワイヤ２０ｂは、第１末端ワイヤ２０ａから離隔して見合うように形成した後、両端を結んでかけ部２０ｃを形成することで構成される。
【００７８】
すなわち、第１末端ワイヤ２０ａと、第１縦方向ワイヤ３０ａと、円周方向ワイヤ４０と、第２縦方向ワイヤ３０ｂと、第２末端ワイヤ２０ｂとが一本のワイヤで一体的に構成されるものである。
【００７９】
図７に示すように、第４変形実施例において、前記引出ワイヤ５０は、ステント１０の円筒状胴体１４の空間部１２と被膜１５を通じてジグザグに編まれて形成される円形帯状の末端ワイヤ２０の両端を結んでかけ部２１を形成する。
【００８０】
そして、前記円筒状胴体１４の長手方向に位置する空間部１２を通過して円筒状胴体１４の内部を経って外部に露出するように隣接空間部１２と被膜１５を通過する一つ以上の縦方向ワイヤ３０を形成した後、一端を前記末端ワイヤ２０のかけ部２１に結んで連結する。
【００８１】
さらに、前記円筒状胴体１４の円周方向に位置する空間部１２と被膜１５を通じて編まれてなる円形帯状の円周方向ワイヤ４０を一つ以上形成し、それぞれ縦方向ワイヤ３０の他端で結んで連結する。
【００８２】
図８に示すように、第５変形実施例において、前記引出ワイヤ５０は、ステント１０の円筒状胴体１４の空間部１２と被膜１５を通じてジグザグに編まれて形成される円形帯状の末端ワイヤ２０の両端を結んでかけ部２１を形成する。
【００８３】
前記円筒状胴体１４の円周方向に位置する空間部１２と被膜１５を通じて編まれて形成される円形帯状の円周方向ワイヤ４０を一つ以上形成した後、両端を結んでなる円周方向ワイヤかけ部４１を末端ワイヤ２０のかけ部２１に結んで連結する。
【００８４】
図９に示すように、第６変形実施例において、前記引出ワイヤ５０は、一端をステント１０の円筒状胴体１４の空間部１２と被膜１５を通じてジグザグに編んで半円形帯状の第１末端ワイヤ２０ａを形成する。
【００８５】
そして、前記第１末端ワイヤ２０ａの一端が円筒状胴体１４の長手方向に位置する空間部１２と被膜１５を通過して円筒状胴体１４の内部を経って外部に露出するように隣接空間部１２を通過する第１縦方向ワイヤ３０ａを形成する。
【００８６】
さらに、前記第１縦方向ワイヤ３０ａの一端が円筒状胴体１４の円周方向に位置する多数の空間部１２と被膜１５を通じて編まれてなる円形帯状の円周方向ワイヤ４０を一つ以上形成する。
【００８７】
さらに、前記円周方向ワイヤ４０の一端が第１縦方向ワイヤ３０ａと円周上で交差するように空間部１２と被膜１５を通じてジグザグに編まれて第２縦方向ワイヤ３０ｂを形成し、前記第１末端ワイヤ２０ａから離隔して見合う第２末端ワイヤ２０ｂを形成した後、両端を結んでかけ部２０ｃを形成してなる。
【００８８】
共通的に、前記一つ以上の円周方向ワイヤ４０の相互間隔は病変部位の面積またはステント１０の全長によって違うように形成される。
【００８９】
また、前記縦方向ワイヤ３０の長さも病変部位の面積またはステント１０の全長によって違うように形成される。
【００９０】
そして、前記第１及び第２縦方向ワイヤ３０ａ、３０ｂは、ステント１０の円筒状胴体１４の長手方向に位置する空間部１２と被膜１５を通じてジグザグに編まれて構成される。
【００９１】
さらに、前記縦方向ワイヤ３０は、円筒状胴体１４の長手方向に位置する空間部１２を通じてジグザグに編まれて構成されることもできる。
【００９２】
さらに、前記引出ワイヤ５０は、医療用繊維材、合成樹脂材、非鉄金属材、金属材ワイヤの中でいずれか１種で構成される。
【００９３】
一方、前記引出ワイヤ５０は、円筒状のステント、両端が外側に拡開したステント、両端が内側に狭くなるステントに適用可能である。
【００９４】
前記のように構成された本発明の作動及び作用を説明すれば次のようである。
【００９５】
まず、前記ステント１０は、人体の臓器に病変が発生し、臓器の直径が病変の拡大によって縮小する病変部位を拡開させるために施術される。
【００９６】
施術過程を簡単に説明すれば、臓器内の病変部位を確認した後、人体内にステント１０をステント施術装置（図示せず）で挿入して狭窄した病変部位を拡開させるものである。
【００９７】
このように施術されたステント１０は人体の臓器内で病変部位が完治されるまで施術状態を維持することになり、その施術期間はおよそ６ヶ月である。この際、施術期間は病変部位の特性または経過状態によって違うように適用される。
【００９８】
しかし、長期間にわたってステント１０を臓器内の病変部位３００に施術しておく場合、病変部位３００の組職が空間部１２に押し込まれて沈着する現象が発生するとき、引出ワイヤ５０を用いてステント１０を病変部位３００または人体組職から簡単に分離することができる。
【００９９】
そして、前記病変部位３００が完治された後、除去施術をするかあるいはステント１０の再施術のために交替施術を行う場合、ステント除去装置を用いて施術を行う。
【０１００】
ここで、前記ステント１０を除去するために、六つの実施例による引出ワイヤ５０をそれぞれ説明する。
【０１０１】
図４、図１０及び図１６に示すように、第１実施例による引出ワイヤ５０は、引出方向に引っ張ると、引出力はかけ部２０ｃ＞第１及び第２末端ワイヤ２０ａ、２０ｂ＞第１及び第２縦方向ワイヤ３０ａ、３０ｂ＞円周方向ワイヤ４０の順に伝達され、ステント１０は全体的に縮径するとともに伸張される。
【０１０２】
この際、前記第１及び第２末端ワイヤ２０ａ、２０ｂは引出力によって引出方向に引かれながら円筒状胴体１４の半径方向中心に縮径して円筒状胴体１４を加圧することになる。
【０１０３】
そして、前記第１及び第２縦方向ワイヤ３０ａ、３０ｂは、第１及び第２末端ワイヤ２０ａ、２０ｂを介して伝達される引出力によってステント１０の長手方向に引かれる。
【０１０４】
また、前記円周方向ワイヤ４０は、第１及び第２末端ワイヤ２０ａ、２０ｂと第１及び第２縦方向ワイヤ３０ａ、３０ｂを介して伝達される引出力によってステント１０の円筒状胴体１４を加圧して縮径するようにする。
【０１０５】
よって、前記ステント１０が人体組職に沈着した状態でも、第１及び第２末端ワイヤ２０ａ、２０ｂと第１及び第２縦方向ワイヤ３０ａ、３０ｂによってステント１０が長手方向に伸張されるとともに円周方向ワイヤ４０によって半径方向中心に縮径することにより、沈着した人体組職から易しく分離／離脱されて除去されるので、苦痛の誘発または２次傷の誘発が防止されるものである。
【０１０６】
図５、図１１及び図１７に示すように、第２実施例による引出ワイヤ５０は、引出方向に引っ張ると、引出力はかけ部２０ｃ＞第１及び第２末端ワイヤ２０ａ、２０ｂ＞第１及び第２縦方向ワイヤ３０ａ、３０ｂ＞円周方向ワイヤ４０の順に伝達され、ステント１０は全体的に縮径するとともに伸張される。
【０１０７】
この際、前記第１及び第２末端ワイヤ２０ａ、２０ｂは引出力によって引出方向に引かれながら円筒状胴体１４の半径方向中心に縮径して円筒状胴体１４を加圧することになる。
【０１０８】
そして、前記第１及び第２縦方向ワイヤ３０ａ、３０ｂは、第１及び第２末端ワイヤ２０ａ、２０ｂを介して伝達される引出力によってステント１０の長手方向に交差して引かれる。
【０１０９】
また、前記円周方向ワイヤ４０は、第１及び第２末端ワイヤ２０ａ、２０ｂと第１及び第２縦方向ワイヤ３０ａ、３０ｂを介して伝達される引出力によってステント１０の円筒状胴体１４を加圧して縮径するようにする。
【０１１０】
これにより、前記ステント１０が人体組職に沈着した状態でも、第１及び第２末端ワイヤ２０ａ、２０ｂと第１及び第２縦方向ワイヤ３０ａ、３０ｂによってステント１０が長手方向に伸張されるとともに円周方向ワイヤ４０によって半径方向中心に縮径することにより、沈着した人体組職から易しく分離／離脱されて除去されるので、苦痛の誘発や２次傷の誘発が防止されるものである。
【０１１１】
図６、図１２及び図１８に示すように、第３実施例による引出ワイヤ５０は、引出方向に引っ張ると、引出力はかけ部２０ｃ＞第１及び第２末端ワイヤ２０ａ、２０ｂ＞第１及び第２縦方向ワイヤ３０ａ、３０ｂ＞円周方向ワイヤ４０の順に伝達され、ステント１０は全体的に縮径するとともに伸張される。
【０１１２】
この際、前記第１及び第２末端ワイヤ２０ａ、２０ｂは、引出力によって引出方向に引かれながら円筒状胴体１４の半径方向中心に縮径して円筒状胴体１４を加圧することになる。
【０１１３】
そして、前記対角線方向に位置する第１及び第２縦方向ワイヤ３０ａ、３０ｂは、第１及び第２末端ワイヤ２０ａ、２０ｂを介して伝達される引出力によってステント１０の長手方向と半径方向中心に同時に引かれる。
【０１１４】
また、前記円周方向ワイヤ４０は、第１及び第２末端ワイヤ２０ａ、２０ｂと第１及び第２縦方向ワイヤ３０ａ、３０ｂを介して伝達される引出力によってステント１０の円筒状胴体１４を加圧して縮径するようにする。
【０１１５】
これにより、前記ステント１０が人体組職に沈着した状態でも、第１及び第２末端ワイヤ２０ａ、２０ｂと第１及び第２縦方向ワイヤ３０ａ、３０ｂによってステント１０が長手方向に伸張されるとともに円周方向ワイヤ４０によって半径方向中心に縮径することにより、沈着した人体組職から易しく分離／離脱されて除去されるので、苦痛の誘発や２次傷の誘発が防止されるものである。
【０１１６】
図７、図１３及び図１９に示すように、第４実施例による引出ワイヤ５０は、引出方向に引っ張ると、引出力はかけ部２１＞末端ワイヤ２０及びそれぞれの縦方向ワイヤ３０＞それぞれの円周方向ワイヤ４０の順に伝達され、ステント１０は全体的に縮径するとともに伸張される。
【０１１７】
この際、前記末端ワイヤ２０は引出力によって引出方向に引かれながら円筒状胴体１４の半径方向中心に縮径して円筒状胴体１４を加圧することになる。
【０１１８】
そして、前記縦方向ワイヤ３０は、末端ワイヤ２０を介して伝達される引出力によってステント１０の長手方向と半径方向中心に同時に引かれる。
【０１１９】
また、前記円周方向ワイヤ４０は、末端ワイヤ２０と縦方向ワイヤ３０を介して伝達される引出力によってステント１０の円筒状胴体１４を加圧して縮径するようにする。
【０１２０】
図８、図１４及び図２０に示すように、第５実施例による引出ワイヤ５０は、引出方向に引っ張ると、引出力はかけ部２１＞末端ワイヤ２０及びそれぞれの円周方向ワイヤ４０の円周方向ワイヤかけ部４１＞それぞれの円周方向ワイヤ４０の順に伝達され、ステント１０は全体的に縮径するとともに伸張される。
【０１２１】
この際、前記末端ワイヤ２０は引出力によって引出方向に引かれながら円筒状胴体１４の半径方向中心に縮径して円筒状胴体１４を加圧することになる。
【０１２２】
そして、前記円周方向ワイヤかけ部４１及び円周方向ワイヤ４０は、末端ワイヤ２０を介して伝達される引出力によってステント１０の長手方向と半径方向中心に同時に引かれる。
【０１２３】
また、前記円周方向ワイヤ４０は、末端ワイヤ２０と円周方向ワイヤかけ部４１を介して伝達される引出力によってステント１０の円筒状胴体１４を加圧して縮径するようにする。
【０１２４】
図９、図１５及び図２１に示すように、第６実施例による引出ワイヤ５０は、引出方向に引っ張ると、引出力はかけ部２０ｃ＞第１及び第２末端ワイヤ２０ａ、２０ｂ＞第１及び第２縦方向ワイヤ３０ａ、３０ｂ＞円周方向ワイヤ４０の順に伝達され、ステント１０は全体的に縮径するとともに伸張される。
【０１２５】
この際、前記第１及び第２末端ワイヤ２０ａ、２０ｂは、引出力によって引出方向に引かれながら円筒状胴体１４の半径方向中心に縮径して円筒状胴体１４を加圧することになる。
【０１２６】
そして、前記対角線方向に位置する第１及び第２縦方向ワイヤ３０ａ、３０ｂは、第１及び第２末端ワイヤ２０ａ、２０ｂを介して伝達される引出力によってステント１０の長手方向と半径方向中心に同時に引かれる。
【０１２７】
また、前記円周方向ワイヤ４０は、第１及び第２末端ワイヤ２０ａ、２０ｂと第１及び第２縦方向ワイヤ３０ａ、３０ｂを介して伝達される引出力によってステント１０の円筒状胴体１４を加圧して縮径するようにする。
【０１２８】
すなわち、前記第１縦方向ワイヤ３０ａと第２縦方向ワイヤ３０ｂを円周上で交差させることで、引出力によって長手方向の引出力と半径方向の引出力が同時に発生するものである。
【０１２９】
これにより、人体の臓器の中で病変部位３００が生じた臓器内にステント１０を施術する場合、空間部１２を通じて病変部位３００または人体組職が沈着しても、ステント１００の除去施術の際、傷の誘発を防止し、患者に苦痛を与えないようにする利点がある。
【０１３０】
さらに、前記引出ワイヤ５０を引っ張ったとき、ステント１０が長手方向に伸張されながら半径方向の中心に縮径することにより、病変部位３００または人体組職から易しく離脱されて容易に除去される利点がある。
【０１３１】
さらに、前記円周方向ワイヤ４０の間隔または縦方向ワイヤ３０の間隔を、病変部位３００が広い場合には小さくして離脱力を集中させることにより、分離が一層容易になるようにする利点があるものである。
【０１３２】
以上、本発明を特定の好適な実施例に基づいて図示して説明したが、本発明は前述した実施例に限定されず、本発明の精神を逸脱しない範疇内で本発明が属する当該技術分野での通常の知識を持つ者によって多様な変更と修正が可能であろう。
【産業上の利用可能性】
【０１３３】
本発明は  本発明は狭くなった内腔を拡開させるかあるいは拡開した内臓が再び狭くならないようにするステントに適用可能である。
【符号の説明】
【０１３４】
１０    ステント
１１    ワイヤ
１２    空間部
１３    折曲端
１４    円筒状胴体
１５    被膜
２０    末端ワイヤ
２１    かけ部
２０ａ    第１末端ワイヤ
２０ｂ    第２末端ワイヤ
２０ｃ    かけ部
３０    縦方向ワイヤ
３０ａ    第１縦方向ワイヤ
３０ｂ    第２縦方向ワイヤ
４０    円周方向ワイヤ
５０    引出ワイヤ
３００    病変部位
【図１】
2010259784.tif 000003
【図２】
2010259784.tif 000004
【図３】
2010259784.tif 000005
【図４】
2010259784.tif 000006
【図５】
2010259784.tif 000007
【図６】
2010259784.tif 000008
【図７】
2010259784.tif 000009
【図８】
2010259784.tif 000010
【図９】
2010259784.tif 000011
【図１０】
2010259784.tif 000012
【図１１】
2010259784.tif 000013
【図１２】
2010259784.tif 000014
【図１３】
2010259784.tif 000015
【図１４】
2010259784.tif 000016
【図１５】
2010259784.tif 000017
【図１６】
2010259784.tif 000018
【図１７】
2010259784.tif 000019
【図１８】
2010259784.tif 000020
【図１９】
2010259784.tif 000021
【図２０】
2010259784.tif 000022
【図２１】
2010259784.tif 000023
【図２２】
2010259784.tif 000024
【図２３】
2010259784.tif 000025
【図２４】
2010259784.tif 000026